(57)【特許請求の範囲】
【請求項１】
連続帯状包装袋を、それの折畳み姿勢で一時的に貯留する装置であって、全体として箱状をなす容器の底壁に、連続帯状包装袋の引出し開口を設けるとともに、その引出し開口を、容器内での連続帯状包装袋の延在方向で、容器の一端と他端との間で水平に往復運動させることを特徴とする連続帯状包装袋の一時貯留装置。
【請求項２】
所定の間隔をおいて相互連結されて、容器本体の下端部で、前記一端と他端との間で水平変位可能な一対のプーリの各々に中間部を巻掛けるとともに、各一端部を容器本体側に固定されて相互に逆方向に延びる一対の帯状部材により容器の底壁を構成し、一方の帯状部材の他端部に連結したばね式巻取手段と、他方の帯状部材の他端部に連結した動力式引込・繰出手段とによって、両帯状部材間に画成した引出し開口を往復運動させることを特徴とする請求項１記載の連続帯状包装袋の一時貯留装置。
【請求項３】
動力式引込・繰出手段を、モータもしくはシリンダにて構成したことを特徴とする請求項２記載の連続帯状包装袋の一時貯留装置。
【請求項４】
動力式引込・繰出手段を、モータとシリンダとの両者にて構成したことを特徴とする請求項２記載の連続帯状包装袋の一時貯留装置。
【請求項５】
所定の間隔をおいて相互連結されて、容器本体の下端部で、前記一端と他端との間で水平変位可能な一対のプーリの各々に巻掛けるとともに、容器本体の、相互に対抗する側壁の外側に配設した一対の昇降プーリの各々に巻掛けた一対のエンドレスベルトにより容器の底壁を構成し、それぞれの昇降プーリに連結した昇降駆動手段によって、両エンドレスベルト間に画成した引出し開口を往復運動させることを特徴とする請求項１記載の連続帯状包装袋の一時貯留装置。
【請求項６】
各プーリに巻掛けた帯状部材もしくはエンドレスベルト間で、そのプーリの後方側に、プーリと等しい直径および長さを有する複数本の支持ローラを水平変位可能に配置し、プーリおよび隣接する支持ローラの相互を、可撓細条により順次に連結したことを特徴とする請求項２〜５のいずれかに記載の連続帯状包装袋の一時貯留装置。
【請求項７】
中央部に引出し開口を有し、その引出し開口が、前記一端と他端との間で変位可能となるように、容器本体の下端部で水平変位可能な板状部材により容器の底壁を構成し、その板状部材に駆動連結した並進駆動手段によって前記引出し開口を往復運動させることを特徴とする請求項１に記載の連続帯状包装袋の一時貯留装置。
【請求項８】
並進駆動手段を歯車機構もしくはシリンダにて構成したことを特徴とする請求項７記載の連続帯状包装袋の一時貯留装置。
【発明の詳細な説明】
【０００１】
【発明の属する技術分野】
この発明は、加熱殺菌された飲料水、調味料その他の液状物、粘稠物等を加熱状態のまま充填包装した連続帯状包装袋の一時貯留装置に関し、とくには、殺菌効果のより一層の向上をもたらすものである。
【０００２】
【従来の技術】
自動充填製袋機により製造されたこの種の連続帯状包装袋を一時的に貯留する装置としては、たとえば特公平８−２５５４９号公報に開示されたものがある。
これは、加熱殺菌した液状物を自動充填装置によって充填包装して、連続帯状包装袋を製造するとともに、その連続帯状包装袋を冷却装置に通過させ、しかる後、その連続帯状包装袋を、たとえば切断装置によって、一袋づつの包装袋に切断する包装システムにおいて、自動充填装置と冷却装置との間および、冷却装置と切断装置との間のそれぞれに、連続帯状包装袋の一時プール装置を設けたものである。
【０００３】
ここで、この一時プール装置は、たとえば、自動充填装置によって製造された連続帯状包装袋を冷却装置に供給するに当り、その連続帯状包装袋が、冷却装置によって自動充填装置から強制的に引出されたり、連続帯状包装袋に過度の緊張が生じたりしないように、連続帯状包装袋に適度の緩みをもたせるべく機能する。
【０００４】
【発明が解決しようとする課題】
これがため、従来のこの一時プール装置は、連続帯状包装袋の緩み部分を収容する単純な箱状部材にて構成されており、装置の上端開口からそこへ進入させた連続帯状包装袋をその上端開口から引出すことで、緩み部分のよじれ等を防止するとともに、床面への接触を防止するものである。
【０００５】
この発明は、従来のかかる一時プール装置にさらなる機能を付加したものであり、加熱殺菌処理された液状物等を、所要の時間高温状態に維持することで、殺菌効果のより一層の向上をもたらすとともに、一時的に貯留した連続帯状包装袋の、次の処理装置への引渡しを十分円滑ならしめる連続帯状包装袋の一時貯留装置を提供するものである。
【０００６】
【課題を解決するための手段】
この発明の、連続帯状包装袋の一時貯留装置は、連続帯状包装袋をそれの折畳み姿勢で一時的に貯留するものであり、全体として箱状をなし、たとえば、連続帯状包装袋の幅とほぼ等しい幅を有する容器の底壁に、連続帯状包装袋の引出し開口を設けるとともに、その引出し開口を、容器内での連続帯状包装袋の延在方向で、容器の一端と他端との間で往復運動させるものである。
【０００７】
このような装置における、連続帯状包装袋の一時貯留は、箱状をなす容器の幅が、連続帯状包装袋のそれとほぼ等しい場合には、包装袋と容器との、容器長手方向への相対的往復運動によって、連続帯状包装袋を、容器の上端開口からその内部へ進入させて、容器底壁上に一列に重畳させることにて行うことができ、箱状容器の幅が連続帯状包装袋の幅の複数倍である場合には、上述したところに加え、容器を、その幅方向にも相対的に往復運動させて、容器底壁上に複数列に重畳させることにより行うことができる。
【０００８】
ここで、連続包装袋をこのように貯留する場合には、従来技術で述べた一時プール装置と同様に、一時貯留装置の前後に配設したそれぞれの装置の処理速度が等速であるときにはもちろん、それらの間にたとえ若干の速度差があっても、連続帯状包装袋に過大な張力が作用するのを十分に防止できるとともに、後方側の装置にて処理しきれない連続帯状包装袋を適正に貯留することができ、また、後方側の装置に一時停止の必要が生じても、前方側の装置はそのまま作業を継続することができる。
【０００９】
その上、この一時貯留装置では、連続帯状包装袋を容器底壁上に、折畳み姿勢で所要の時間保持することができるので、加熱殺菌されて充填包装された液状物等を、その所要時間にわたって高温に維持することが可能となり、これがため、たとえば、加熱時間が不足して十分な殺菌が行われなかった液状物等の殺菌を、連続帯状包装袋の一時貯留中に実現することがきる他、液状物等を包装袋内に充填するに際して包装袋内に入り込むおそれもある落下菌、浮遊菌等の殺菌および、包装袋を構成する包装用フィルム等に付着するおそれもある付着菌その他の殺菌をもまた、連続帯状包装袋の一時貯留中に行うことができ、これらの結果として殺菌効果が大きく高められることになる。
【００１０】
ところで、容器内に一時的に貯留した連続帯状包装袋のそこからの取出しは、容器の底壁に設けた引出し開口を通して行うことができ、その引出し開口を、容器内に重畳された包装袋の、容器の一端側から他端側へもしくはその逆方向へ次第に遷移する取出部分に応じて往復運動させることにより、連続帯状包装袋に張力をほとんど作用させることなしに、その取出を極めて円滑に行うことができる。
【００１１】
このような一時貯留装置において、好ましくは、容器の底壁を、所定の間隔をおいて相互連結されて、容器本体の下端部で、容器の一端と他端との間で水平変位可能な一対のプーリの各々に中間部を巻掛けるとともに、各一端部を容器本体側に固定されて相互に逆方向に延びる一対の帯状部材により構成し、また両帯状部材のプーリ巻掛け部間に画成した引出し開口を、一方の帯状部材の他端部に連結したばね式巻取手段と、他方の帯状部材の他端部に連結した動力式引込・繰出手段とによって往復運動させる。
【００１２】
これによれば、補強層を埋設したもしくは埋設しない、プラスチック材料製、ゴム材料製等とすることができる帯状部材への引張力の作用下で、容器内に重畳した連続包装袋の重量を十分に支持し得ることはもちろん、引出し開口を、極めて簡単な構造をもって所期した通りに確実に往復運動させることができ、従って、連続帯状包装袋の、引出し開口からの円滑なる取出しを十分に担保することができる。
【００１３】
なおここで、動力式引込・繰出手段は、モータもしくはシリンダのいずれか一方によって構成することができる他、それらの両者をもって構成することもできる。
【００１４】
また好ましくは、この発明の一時貯留装置において容器の底壁を、所定の間隔をおいて相互連結されて、容器本体の下端部で、前記一端と他端との間で水平変位可能な一対のプーリの各々に巻掛けるとともに、容器本体の、相互に対抗する側壁の外側に配設した一対の昇降プーリの各々に巻掛けた一対のエンドレスベルトにより構成し、また、両エンドレスベルト間に画成した引出し開口を、それぞれ昇降プーリに連結されて、相互に同期して作動する昇降駆動手段によって往復運動させる。
【００１５】
この構成によれば、引出し開口を、それぞれの昇降駆動手段の作用をもって所期した通りに確実に往復運動させ得ることはもちろん、補強層を埋設したもしくは埋設しないエンドレスベルトの張力を、昇降駆動手段の作用によって所要に応じて適宜に調整することもできる。
【００１６】
ところで、容器の底壁として帯状部材もしくはエンドレスベルトを用いる一時貯留装置において、その底壁の撓み変形をより有効に防止するためには、各プーリに巻掛けた帯状部材もしくはエンドレスベルト間で、そのプーリの後方側に、プーリと等しい直径および長さを有する複数本の支持ローラを水平変位可能に配置し、プーリおよび隣接する支持ローラの相互を、一定の長さの可撓細条で順次に連結することが好ましい。
【００１７】
かかる構成の下では、引出し開口の往復運動をもたらす、対をなすプーリの進退運動に際し、進出プーリ側では、プーリの一定進出量毎に、たとえば紐とすることができる可撓細条によって相互連結された支持ローラが、その可撓細条の緊張の下に、順次に繰出されて、容器底壁上に折畳み重畳された連続帯状包装袋の重量を支持することができるので、帯状部材もしくはエンドレスベルトの初期張力を問題とするまでもなく、しかも、包装袋の折畳み重畳量が多い場合であっても、容器底壁の撓み変形のおそれを十分に取除くことができる。
【００１８】
この一方で、後退プーリ側では、プーリの一定量の後退によって、可撓細条の撓み変形の下で、それが隣接する支持ローラに当接して、その支持ローラを後退変位させ、次いで、その支持ローラおよびそれ以降の支持ローラが他の支持ローラに順次に当接して各支持ローラを後退変位させることで、それらの支持ローラによる、連続帯状包装袋等の重量の支持を、先に述べた進出側の支持ローラに、十分円滑に肩代りさせることができる。
【００１９】
そしてまた好ましくは、中央部に引出し開口を有し、その引出し開口が、前記一端と他端との間で変位可能となるように、容器本体の下端部で水平変位可能な板状部材により容器の底壁を構成し、その板状部材に駆動連結した並進駆動手段によって前記引出し開口を往復運動させる。
このことによれば、構造をより一層簡単なものとして、引出し開口の、所期した通りの往復運動を実現することができる。ここで、並進駆動手段は、歯車機構もしくはシリンダのいずれか一方によって構成することができる。
【００２０】
【発明の実施の形態】
以下にこの発明の実施の形態を図面に示すところに基づいて説明する。
図１（ａ）は、一の実施形態を示す要部断面正面図であり、図中１は連続帯状包装袋を示す。
連続帯状包装袋１は、たとえば図示しない自動充填製袋機から供給され、ガイドローラ２から、筒状をなすスイングアーム３に通される。このスイングアーム３は、図の実線位置と仮想線位置との間で、連続帯状包装袋１の供給速度に応じた速度で揺動運動を行って、連続帯状包装袋１の折畳み重畳を実現する。
【００２１】
ここで、図示の一時貯留装置は、二本もしくは四本の支持脚４にて支持され、連続帯状包装袋１の幅とほぼ等しい幅を有する箱状の容器５の底壁６に、連続帯状包装袋１の引出し開口７を設け、この引出し開口７を、容器内での連続帯状包装袋１の延在方向で、容器５の一端から他端まで往復運動させるものである。
【００２２】
これがためここでは、容器５の底壁６を、所定の間隔をおいて相互連結されて、容器本体８の下端部で、容器５の一端と他端との間で水平変位可能な一対のプーリ９、１０の各々に、各一端部を容器本体側に固定されて相互に逆方向に延在する一対の帯状部材１１、１２の中間部を巻掛けることにより構成し、そして、それぞれの帯状部材１１、１２のプーリ巻掛け部間に画成した引出し開口７を、一方の帯状部材１１の他端部に連結したばね内蔵式の巻取手段１３と、他方の帯状部材１２の他端部に連結した動力式引込・繰出手段、たとえば、図示しないモータにより駆動される回転ドラム１４との協働下にて往復駆動可能ならしめる。ここで、巻取手段１３および回転ドラム１４はともに、図示のように、支持脚４に取付けることができる。
【００２３】
ここにおいて、一対のプーリ９、１０の相互連結は、たとえば図１（ｂ）に、一部を断面とした平面図で示すように、プーリ９、１０の両端をそれぞれのリンク１５、１６にヒンジ連結することにより行うことができ、また、それらのプーリ９、１０の水平変位は、各リンク１５、１６に突設した少なくとも一個、図では二個の回転輪１７、１８を、容器本体８の前後の側壁１９、２０に設けた水平スロット２１、２２内で転動させることにより行うことができ、この場合には、それぞれのプーリ９、１０およびリンク１５、１６の重量の他、帯状部材１１、１２の重量もまた、それぞれの回転輪１７、１８を介して前後の側壁１９、２０に支持されることになる。
【００２４】
このような構成の下での、引出し開口７の往復運動は、帯状部材１２の端部に連結した回転ドラム１４を、その帯状部材１２の巻取方向に駆動することで、両プーリ９、１０、ひいては引出し開口７を、巻取手段１３のばね力に抗して図１（ａ）の左方向への所要の速度で移動させ、この一方で、回転ドラム１４を所要の速度で逆回転させ、帯状部材１２に発生する緩みを、巻取手段１３のばね力による、帯状部材１１の巻取りによって除去し、この結果として、引出し開口７の、図の右方向への移動をもたらすことにより行うことができる。
【００２５】
なお、引出し開口７のこのような移動に当っては、それぞれのプーリ９、１０は、それぞれのリンク１５、１６に対して回転運動を行い、これにより、引出し開口の十分円滑な往復運動が担保されることになる。
【００２６】
従って、スイングアーム３の作用下で、箱状の容器内に折畳み姿勢で一時的に貯留されて、より十分な殺菌に寄与した連続帯状包装袋１の、その容器５からの取出しは、それの取出し端部を引出し開口７から下方へ垂下させた状態で、引出し開口７を所要の速度で往復運動させて、その引出し開口７を、容器５の底壁６上に位置する連続帯状包装袋１の、次第に遷移する取出部分の真下に常に位置させることにより行うことができ、これによれば、折畳み姿勢の連続帯状包装袋１を、それに引張力をほとんど作用させることなく、下層側から順次に、しかも十分円滑に取出すことができる。
【００２７】
図２は、図１に示す実施形態の、動力式引込・繰出手段の他の例を示す図である。これは、モータにて正転および逆転駆動される回転ドラム１４に代えて、支持脚４に、油圧式もしくは空圧式とすることができるシリンダ２３を設けたものであり、帯状部材１２の他端部を、たとえば、支持脚４に設けたプーリ２４を介してシリンダ２３のロッド端に連結したものである。
【００２８】
なおここで、シリンダ２３を、支持脚４の上部に、そのロッド下方に向けて取付けた場合には、帯状部材１２の他端部を、プーリ２４の介在なしに、ロッド端に直接的に連結することができる。
【００２９】
このような構成によれば、シリンダ２３のロッド２３ａを収縮変位させて帯状部材１２を引張るとにより、引出し開口７を所要の速度でシリンダ方向へ移動させることができ、またロッド２３ａを伸長変位させて帯状部材１２を緩めることにより、引出し開口７をシリンダ２３から離隔する方向へ所要の速度で移動させることができる。
従って、この場合においてもまた、図１に示すものと同様に、引出し開口７を、連続帯状包装袋１の取出し部分の真下に常に確実に位置させて、連続帯状部材１の取出しを円滑なものとすることができる。
【００３０】
ところで、動力式引込・繰出手段は、このようなシリンダと、モータ駆動回転ドラムとの両者にて構成することもでき、これによれば、帯状部材１２の引込みおよび繰出しのそれぞれを上記両者の協働下にて行うことで、引出し開口７の移動速度の一層の高速化に十分に対処することができ、また、シリンダ長、モータ能力等の低減を図ることができる。
【００３１】
図５は、図１および２に示す装置における底壁の補強態様を例示する図であり、これは、帯状部材１１、１２のそれぞれの撓み変形、ひいては容器底壁６の撓み変形を、各帯状部材間に配置した複数本の支持ローラによる荷重の支持により、各帯状部材１１、１２に及ぼす初期張力のいかんにかかわらず、有効に阻止するものである。一方の帯状部材１２に例をとって示すこの図では、プーリ１０に巻掛けた帯状部材間で、そのプーリ１０の後方側に、プーリ１０と等しい直径および長さを有する複数本の支持ローラ２５ａ〜２５ｄを水平変位可能に配置する。
【００３２】
ここで、支持ローラ２５ａ〜２５ｄの水平変位は、各支持ローラ２５ａ〜２５ｄの中心軸線上で、その両端に突設したそれぞれの回転輪２６ａ〜２６ｂを、ここではプーリ１０から直接的に突出させて設けたそれぞれの回転輪２７、２８とともに、横断面形状がほぼコ字状をなす一対のレール部材２９（図５（ａ）では手前側のレール部材２９は省略して示す。）内で転動させることにより行うことができ、これにより、それぞれの支持ローラ２５ａ〜２５ｄは、プーリ１０に対して平行姿勢を維持したまま水平変位することができる。
【００３３】
またここで、各支持ローラ２５ａ〜２５ｄの進退駆動は、プーリ１０の駆動に連動させて行うことができ、ここにおいては、プーリ１０のそれぞれの回転輪軸を、十分な耐張力を有する所定長さの可撓線条、たとえば紐３０によって、隣接する支持ローラ２５ａの回転輪軸に連結するとともに、相互に隣接するそれぞれの支持ローラ２５ａ〜２５ｄをもまた等長の紐３０によって同様に連結することにて行うことができ、この場合、各紐３０のそれぞれの端部は、回転輪軸に直接的に連結することの他、図示のように、各回転輪軸に嵌め合わせたリング３０ａを介して行うこともできる。
なおこの図に示すところにおいて、一対のレール部材２９を、先に述べた水平スロット２１、２２とすることも可能である。
【００３４】
これによれば、プーリ１０の進出作動によって、その進出量が紐３０の長さに達したときには、その紐３０の緊張の下に、プーリ１０に隣接する支持ローラ２５ａが進出方向に繰出され、そのプーリ１０の進出量が紐３０の約２倍に達したときには上記支持ローラ２５ａに隣接する支持ローラ２５ｂが繰出され、以下同様にして他のそれぞれの支持ローラが繰出されることになり、繰出されたそれぞれの支持ローラによって上部荷重を十分に支持することができるので、紐３０の長さおよび支持ローラの配設本数を適宜に選択することで、容器底壁６の剛性を所要に応じて高めることができる。
【００３５】
また、プーリ１０の後退作動に当っては、紐３０の撓み変形の下に、それが、隣接する支持ローラ２５ａに当接してそれを後退方向に押圧することにより、その支持ローラ２５ａの後退変位をもたらし、支持ローラ２５ａは、隣接支持ローラ２５ｂを同様にして後退変位させるので、プーリ１０の後退量に応じた支持ローラの後退変位が、十分円滑に、かつ確実に行われることになり、図１、２に示す場合と同様に、引出し開口７の、所要に応じた往復運動がもたらされる。
かくして、ここでは、帯状部材１１、１２に作用させる初期張力につき深く考慮する必要なしに、容器底壁６の撓み変形を十分に防止することができる。
なお、以上のような実施形態にもまた、図３に示す底壁補強態様を適用し得ることはもちろんである。
【００３６】
図３は、この発明の他の実施形態を示す図１（ａ）と同様の正面図であり、これは、箱状の容器５の底壁６の構成等を変更したものである。なお図中、図１、２について述べたところと同様の構成部分はそれと同一の符号を付して示す。ここにおける底壁６は、図１（ａ）の場合と同様に、所定の間隔をおいて相互連結されて、容器本体８の下端部で、容器５の一端と他端との間で水平変位可能な一対のプーリ９、１０の各々と、容器本体８の、相互に対抗する側壁の外側に配設した一対の昇降プーリ３１、３２の各々とに巻掛けた一対のエンドレスベルト３３、３４により構成してなり、ここで、各昇降プーリ３１、３２の昇降変位は、支持脚４に形成されて垂直方向に延びるガイドレール、スロット等にて案内することが好ましい。
【００３７】
またここでは、両エンドレスベルト間に画成される引出し開口７の往復運動を、それぞれの昇降プーリ３１、３２に連結したそれぞれの昇降駆動手段、図ではシリンダ３５、３６の作動によって実現する。これがため、図に示すところでは、それぞれの支持脚４に取付けたシリンダ３５、３６のロッド端を、それぞれのプーリ３７、３８に巻掛けたロープ３９、４０を介して昇降プーリ３１、３２に連結しているが、それぞれのシリンダ３５、３６を、支持脚４の上部に、ロッド端を下方に向けて取付けた場合には、各ロッド端を、昇降プーリ３１、３２に直接的に連結することもでき、これによれば、プーリ３７、３８およびロープ３９、４０を不要ならしめることができる。
【００３８】
かかる構成によれば、両シリンダ３５、３６の作用下で、それぞれのエンドレスベルト３３、３４に所要の張力を付与することで、底壁６に、折畳み姿勢の連続帯状包装袋１を支持するに十分な剛性をもたらし得ることはもちろん、いずれか一方のシリンダロッドの伸長作動と、他方のシリンダロッドの収縮作動とを相互に同期させて行って、対をなす昇降プーリ相互の上昇変位と下降変位とを同時にもたらすことで、引出し開口７を、所要の方向へ、所要の速度で駆動することができる。
かくして、これによってもまた、連続帯状包装袋１の引出し開口７からの取出しを、そこに引張力をほとんど作用させることなく、所期した通りの速度で円滑に行うことができる。
【００３９】
図４は、この発明のさらに他の実施形態を示す要部断面正面図であり、これは、箱状の容器５の底壁６を板状部材４１にて構成したものである。ここでこの板状部材４１は、それの長さ方向の中央部に設けた引出し開口７を有しており、容器本体８の下端部で、たとえば、左右もしくは前後の側壁に設けた摺動ガイド、図では左右の側壁４２、４３に設けた摺動孔４４、４５の案内下で、引出し開口７が、容器５の一端と他端とのそれぞれに至る間で、水平変位することがでる。
【００４０】
そしてここでは、引出し開口７の往復駆動を、図示しないモータにより回転されるピニオン４６と、板状部材４１に直接的もしくは間接的に設けたラック、図では直接的に設けたラック４７との噛合構造よりなる並進駆動手段をもって行う。
なお、この並進駆動手段は、板状部材に連結したシリンダにより構成することも可能である。
【００４１】
この実施形態では、底壁構造および、底壁６の駆動構造をともに簡単なものとして、高い底壁剛性を確保するとともに、引出し開口７の往復運動をより直接的に行わせることができる。
そしてこの実施形態によってもまた、引出し開口７の往復運動に基づき、容器内に重畳された連続帯状包装袋１を円滑かつ適正に取出すことができる。
【００４２】
【発明の効果】
かくしてこの発明によれば、連続帯状包装袋を一の装置から次の装置へ連続的に供給するに当り、その連続帯状包装袋に過度の緊張等が生じるのを十分に防止し得ることはもちろん、連続帯状包装袋の折畳み重畳状態で、加熱殺菌処理を施された液状物等を所要の時間高温のまま維持することで、液状物等に対する殺菌効果をより一層向上させ、また、液状物等とともに包装されるおそれもある落下菌、浮遊菌、付着菌等に対する十分な殺菌をも併せて実現することができる。
【図面の簡単な説明】
【図１】この発明の一の実施形態を示す要部断面正面図および部分平面図である。
【図２】動力式引込・繰出手段の他の例を示す図である。
【図３】図１および２に示す実施形態の底壁補強態様を例示する図である。
【図４】この発明の他の実施形態を示す要部断面正面図である。
【図５】この発明のさらに他の実施形態を示す要部断面正面図である。
【符号の説明】
１  連続帯状包装袋
２  ガイドローラ
３  スイングアーム
４  支持脚
５  容器
６  底壁
７  引出し開口
８  容器本体
９、１０、２４、３７、３８  プーリ
１１、１２  帯状部材
１３  巻取手段
１４  回転ドラム
１５、１６  リンク
１７、１８、２６ａ、２６ｂ、２７、２８  回転輪
１９、２０、４２、４３  側壁
２１、２２  水平スロット
２３、３５、３６  シリンダ
２３ａ  ロッド
２５ａ〜２５ｄ  支持ローラ
２９  レール部材
３０  紐
３０ａ  リング
３１、３２  昇降プーリ
３３、３４  エンドレスベルト
３９、４０  ロープ
４１  板状部材
４４、４５  摺動孔
４６  ピニオン
４７  ラック
【図１】
0004077530.tif 000002
【図２】
0004077530.tif 000003
【図３】
0004077530.tif 000004
【図４】
0004077530.tif 000005
【図５】
0004077530.tif 000006